(57)【要約】【課題】簡単な構造で、ワンタッチで簡単に立体的に組み立てることができ、立体的な組立状態を維持し作業効率が良好な緩衝用中枠を提供する。【解決手段】矩形の底面１４の互いに略平行な一対の端部に連接し、コの字形に折り曲げられる保持部２０，５０を有する。保持部２０，５０は、収容物８４，８６を保持する透孔４２，７２を備える。保持部２０，５０は、底面１４から立ち上がる外側立上面２２，５２と、外側立上面２２，５２に連接し底面１４から離間して位置する上面２４，５４と、上面２４，５４に連接し、底面１４から立ち上がる内側立上面２６，５６を有する。内側立上面２６，５６に連接して、底面１４の上面２４，５４に対面する位置に糊付けされ、連接方向の長さが上面２４，５４よりも短い糊付け面２８，５８を備える。糊付け面２８，５８に連接し、外側立上面２２，５２と上面２４，５４の間の角部に先端部が差し込まれ、底面１４に対して傾斜する支持面３０，６０を備える。【選択図】図１
0003212828.tif 000002
【実用新案登録請求の範囲】
【請求項１】
一枚の中枠形成片から成り、矩形の底面と、前記底面の互いに略平行な一対の端部に連接し前記底面に対しコの字形に折り曲げられる保持部が各々設けられ、前記一対の保持部には、収容物が挿通されて保持する透孔が互いに対向して設けられ、
前記保持部には、前記底面の前記端部に連接し前記底面から立ち上がる外側立上面と、前記外側立上面に連接し前記底面から離間して前記底面に沿って位置する上面と、前記上面に連接し前記底面から立ち上がる内側立上面と、前記内側立上面に連接して前記底面の前記上面に対面する位置に糊付けされ連接方向の長さが前記上面よりも短い糊付け面と、前記糊付け面に連接し前記外側立上面と前記上面の間の角部に先端部が当接し前記底面に対して傾斜する支持面が、一列に連接して設けられ、
前記支持面の先端部には差込片が突出して形成され、前記外側立上面と前記上面の間の角部には切断線が形成され、前記差込片が前記切断線に差し込まれて係止され、前記保持部のコの字形の形状を維持することを特徴とする緩衝用中枠。
【請求項２】
前記収容物を保持する前記透孔は、前記上面と前記内側立上面に連続して形成されている請求項１記載の緩衝用中枠。
【考案の詳細な説明】
【技術分野】
【０００１】
この考案は、包装用箱の内側に入れて使用し収容物を緩衝的に保護する緩衝用中枠に関する。
【背景技術】
【０００２】
従来、ガラス製の収容物等、衝撃で破損しやすいものを包装する際は、破損を防ぐために包装用箱の内側に中枠を設け、収容物を中枠に保持させて包装し、運搬や保管を行っている。この様な中枠には、いろいろなものが開示されている。
【０００３】
例えば、特許文献１に開示されている緩衝機能付包装箱は、一枚の箱体形成片から成る外箱と、一枚の仕切り形成片から成る緩衝用仕切りを備える。緩衝用仕切りは、外箱の底部に嵌合される底面と、底面の一方の端部に連接し底面に対してコの字形に折り曲げられる緩衝折曲部を備える。底面の緩衝折曲部と反対側の端部には、折返片と、折返片の先端に連接し底面に対して三角形に折り曲げられる緩衝支持部と、緩衝支持部の折返部と反対側の端部に形成され底面の所定位置に係止される突起を備える。緩衝折曲部と緩衝支持部には、収容物が挿通保持される透孔を備える。この緩衝機能付包装箱は、組み立てた外箱の中に、組み立てた緩衝用仕切りを入れて使用する。
【先行技術文献】
【特許文献】
【０００４】
【特許文献１】特開２０１０−１００２９９号公報
【考案の概要】
【考案が解決しようとする課題】
【０００５】
上記背景技術の場合、緩衝用仕切りを、底面に対して緩衝折曲部と緩衝支持部を立体的に組み立てる時は、緩衝折曲部と緩衝支持部を個々に組み立てるため手間がかかるものである。また、立体的に組み立てた状態を維持する構造は十分ではなく、不用意に平坦な折り畳み状態に戻る恐れがあり、収容物を嵌合させ保持させる作業効率が低くなる恐れがある。
【０００６】
この考案は、上記背景技術の問題点に鑑みてなされたものであり、簡単な構造で、ワンタッチで簡単に立体的に組み立てることができ、立体的な組立状態を維持し、収容物を嵌合させ保持させるための作業効率が良好な緩衝用中枠を提供することを目的とする。
【課題を解決するための手段】
【０００７】
本考案は、一枚の中枠形成片から成り、矩形の底面と、前記底面の互いに略平行な一対の端部に連接し前記底面に対しコの字形に折り曲げられる保持部が各々設けられ、前記一対の保持部には、収容物が挿通されて保持する透孔が互いに対向して設けられている緩衝用中枠である。前記保持部には、前記底面の前記端部に連接し前記底面から立ち上がる外側立上面と、前記外側立上面に連接し前記底面から離間して前記底面に沿って位置する上面と、前記上面に連接し前記底面から立ち上がる内側立上面と、前記内側立上面に連接して前記底面の前記上面に対面する位置に糊付けされ連接方向の長さが前記上面よりも短い糊付け面と、前記糊付け面に連接し前記外側立上面と前記上面の間の角部に先端部が当接し前記底面に対して傾斜する支持面が、一列に連接して設けられている。前記支持面の先端部には差込片が突出して形成され、前記外側立上面と前記上面の間の角部には切断線が形成され、前記差込片が前記切断線に差し込まれて係止され、前記保持部のコの字形の形状を維持する。
【０００８】
また、前記収容物を保持する前記透孔は、前記上面と前記内側立上面に連続して形成されている。
【考案の効果】
【０００９】
本考案の緩衝用中枠は、簡単な構造で、ワンタッチで簡単に立体的に組み立てることができ、立体的な組立状態を維持し、収容物を嵌合させ保持させる作業効率が良好である。確実に収容物を緩衝的に保持し、安全に運搬や保管を行うことができる。
【図面の簡単な説明】
【００１０】
【図１】この考案の一実施形態の緩衝用中枠の斜視図である。
【図２】この実施形態の緩衝用中枠の組立工程を示す斜視図である。
【図３】この実施形態の緩衝用中枠の展開図である。
【図４】この実施形態の緩衝用中枠の組立工程を示す平面図である。
【考案を実施するための形態】
【００１１】
以下、この考案の実施形態について図面に基づいて説明する。図１〜図４はこの考案の一実施形態を示すもので、この実施形態の緩衝用中枠１０は、後述する外箱８２の中に入れられて、収容物を緩衝的に保持するものである。緩衝用中枠１０は、紙製の一枚のブランクシートを打ち抜いて形成された中枠形成片１２を組み立てて設けられている。
【００１２】
図３は、中枠形成片１２を表面から見た展開図であり、中枠形成片１２は、外箱８２の底部８２ａに僅かなゆとりを有して嵌合される底面１４が設けられている。底面１４は、一方向に長い矩形に形成されている。底面１４の、長手方向に沿う一対の側縁部１４ａには、細長い矩形の側面１６が折罫線１８で区切られて設けられている。側面１６は、底面１４の側縁部１４ａに対して平行な方向は底面１４と同じ長さであり、側縁部１４ａに交差する方向は、底面１４よりも短く形成されている。
【００１３】
底面１４の、側縁部１４ａに交差する一方の端部１４ｂには、収容物の一端部を保持する第一保持部２０が連続して設けられている。第一保持部２０には、底面１４の端部１４ｂに連続し底面１４から立ち上がる外側立上面２２と、外側立上面２２に連接し底面１４から離間して底面１４に対して略平行に位置する上面２４と、上面２４に連接し底面１４から立ち上がる内側立上面２６と、内側立上面２６に連接して底面１４の上面２４に対面する位置に糊付けされ連接方向の長さが上面２４よりも短い糊付け面２８と、糊付け面２８に連接し外側立上面２２と上面２４の間の角部に先端部３０ａが当接し底面１４に対して傾斜する支持面３０が、順に一列に連接されて設けられている。底面１４、外側立上面２２、上面２４、内側立上面２６、糊付け面２８、支持面３０は、各々折罫線３１，３２，３４，３６，３８で区切られている。
【００１４】
次に、底面１４の一方の端部１４ｂ側の各部材について詳しく説明する。外側立上面２２は、端部１４ｂとの連接方向と直交する幅方向は底面１４と同じ長さであり、それと直交する連接方向の長さは、それよりも短くて側面１６の側縁部１４ａに交差する長さよりは少し長い矩形である。
【００１５】
上面２４は、幅方向は外側立上面２２と同じ長さであり、連接方向の長さは、外側立上面２２よりは長く底面１４の長手方向の半分以下の長さの矩形である。外側立上面２２と区切られる折罫線３２の中間には、上面２４側へ僅かに突出するコの字型の切断線４０が、紙面の裏表に貫通して設けられている。上面２４の中央には、透孔４２が設けられている。透孔４２は、折罫線３２に対して直角方向に長細く形成されている。透孔４２の、折罫線３２側の端部４２ａは矩形であり、折罫線３２の近傍に位置し、折罫線３２には達していない。透孔４２の端部４２ａと反対側の端部４２ｂは、折罫線３４を超えて連接する内側立上面２６に達している。透孔４２の、端部４２ａに交差する一対の側縁部４２ｃは、折罫線３４の近傍で、互いに離れる方向へひし形状に広がる幅広部４２ｄが形成され、折罫線３４に近づくにつれて再び幅が狭くなり、幅が狭くなる傾斜線の途中で折罫線３４に一致している。
【００１６】
内側立上面２６は、上面２４に接する折罫線３４の長さよりも反対側の糊付け面２８に接する折罫線３６の長さが少し短い台形に形成されている。連接方向の長さは外側立上面２２と同じである。内側立上面２６の中心には、折罫線３４から連続して透孔４２の端部４２ｂ側が位置し、透孔４２の一対の側縁部４２ｃは折罫線３４から離れるにつれて互いに近づいて幅が狭くなり、端部４２ｂに達し、端部４２ｂは折罫線３４と反対側の折罫線３６に向かって膨出する円形に形成されている。端部４２ｂは、折罫線３６に達しておらず、折罫線３６の近傍に位置している。
【００１７】
糊付け面２８は、幅方向は内側立上面２６の折罫線３６と同じ長さであり、連接方向の長さは、上面２４よりも少し短い矩形である。
【００１８】
支持面３０は、幅方向は糊付け面２８と同じ長さであり、連接方向の長さは、外側立上面２２、内側立上面２６よりも、僅かに長い矩形である。支持面３０の、折罫線３８と反対側の先端部３０ａの中心には、側方に突出する半円形状の差込片４４が設けられている。差込片４４の基端部には、先端部３０ａに位置する破断線４６が設けられている。
【００１９】
底面１４の、端部１４ｂと反対側の端部１４ｃには、収容物の他端部を保持する第二保持部５０が連続して設けられている。第二保持部５０には、第一保持部２０と同様に、底面１４の端部１４ｃに連続して、外側立上面５２、上面５４、内側立上面５６、糊付け面５８、支持面６０が、順に一列に連接されて設けられている。底面１４、外側立上面５２、上面５４、内側立上面５６、糊付け面５８、支持面６０は、各々折罫線６１，６２，６４，６６，６８で区切られている。
【００２０】
次に、底面１４の端部１４ｂと反対側の端部１４ｃ側の各部材について詳しく説明する。外側立上面５２は、第一保持部２０の外側立上面２２と同じ大きさの矩形である。
【００２１】
上面５４は、幅方向は第一保持部２０の上面２４と同じ長さであり、連接方向の長さは、上面２４より少し短い矩形である。外側立上面５２と区切られる折罫線６２の中間には、上面５４側へ僅かに突出するコの字型の切断線７０が、紙面の裏表に貫通して設けられている。上面５４の中央には、透孔７２が設けられている。透孔７２は、折罫線６２に対して直角方向に長細く形成されている。透孔７２の、折罫線６２側の端部７２ａは矩形であり、折罫線６２の近傍に位置し、折罫線６２には達していない。透孔７２の端部７２ａと反対側の端部７２ｂは、折罫線６４を超えて連接する内側立上面５６に達している。透孔７２の、端部７２ａに交差する一対の側縁部７２ｃは、互いに平行であり、折罫線６４に略直角に達している。
【００２２】
内側立上面５６は、第一保持部２０の内側立上面２６と同じ大きさの台形である。内側立上面５６の中心には、折罫線６４から連続して透孔７２の端部７２ｂ側が位置し、透孔７２の一対の側縁部７２ｃは折罫線６４から離れるにつれて互いに近づいて幅が狭くなり、端部７２ｂに達し、端部７２ｂは折罫線６４と反対側の折罫線６６に向かって膨出する円形に形成されている。端部７２ｂは、折罫線６６に達しておらず、折罫線６６の近傍に位置している。
【００２３】
糊付け面５８は、幅方向は第一保持部２０の糊付け面２８と同じ長さであり、連接方向の長さは、糊付け面２８よりも少し短い矩形である。
【００２４】
支持面６０は、幅方向は第一保持部２０の支持面３０と同じ長さであり、連接方向の長さは、支持面３０よりも少し短い矩形であり、外側立上面５２、内側立上面５６よりも僅かに長い矩形である。支持面６０の、折罫線６８と反対側の先端部６０ａの中心には、側方に突出する半円形状の差込片７４が設けられている。差込片７４の基端部には、先端部６０ａに位置する破断線７６が設けられている。
【００２５】
次に、この実施形態の緩衝用中枠１０の組立方法の一例について説明する。なお、ここでは図３が中枠形成片１２の表面を見たものであり、表面が凸になる折り方を正折り、そして裏面が凸になる折り方を逆折りと称する。まず、第一保持部２０の、折罫線３６を正折りし、糊付け面２８の表面に糊７８を塗布する。糊７８は、折罫線３６，３８の近傍に、折罫線３６，３８に対して平行に２本の直線状に塗布する。そして、折罫線３２を正折りし、これにより糊付け面２８の表面は糊７８で底面１４の裏面に糊付けされる。第二保持部５０も同様に、折罫線６６を正折りし、糊付け面５８の表面に糊８０を塗布する。糊８０は、折罫線６６，６８の近傍に、折罫線６６，６８に対して平行に２本の直線状に塗布する。そして、折罫線６２を正折りし、これにより糊付け面５８の表面は糊８０で底面１４の裏面に糊付けされる。これにより、中枠形成片１２は図４に示す折り畳み状態となり、この状態で出荷される。
【００２６】
次に収容物を収容し包装する工場において、折り畳まれて平坦な第一保持部２０を、折罫線３１，３２，３４，３６を９０°に正折りし、外側立上面２２、内側立上面２６が底面１４に対して略直角に位置し、上面２４が底面１４に対して略平行に位置し、底面１４から立体的にコの字形に折り曲げられ立体的になる。この時、支持面３０は、平坦な折り畳み状態では底面１４と外側立上面２２の裏面に重ねられているが、外側立上面２２が底面１４に対して引き起こされる際に、差込片４４が外側立上面２２の裏面に当接しながら折罫線３８が正折りされて、先端部３０ａ側が底面１４から自動的に引き起こされる。外側立上面２２と底面１４が直角になったときに支持面３０の先端部３０ａは、外側立上面２２と上面２４の角部となる折罫線３２に当接する。差込片４４は、折罫線３２の切断線４０に裏面から差し込まれて外側に突出し、係止される。支持面３０が引き起こされる工程では、外側立上面２２と上面２４が直角に近づくと差込片４４の長さが余ってくるが、差込片４４には破断線４６が設けられて屈曲しやすいため、容易に折り曲げられて支障となることがない。外側立上面２２、上面２４、内側立上面２６、糊付け面２８で組み立てられたコの字形の立体的な形状は、元の平坦な折り畳み状態に戻ることがない。
【００２７】
第二保持部５０も同様に、折り畳まれて平坦な状態から、折罫線６１，６２，６４，６６を９０°に正折りし、外側立上面５２、内側立上面５６が底面１４に対して略直角に位置し、上面５４が底面１４に対して略平行に位置し、底面１４から立体的にコの字形に折り曲げられ立体的になる。外側立上面５２が底面１４に対して引き起こされる際に、差込片７４が外側立上面５２の裏面に当接しながら折罫線６８が正折りされて、先端部６０ａ側が底面１４から自動的に引き起こされる。外側立上面５２と底面１４が直角になったときに支持面６０の先端部６０ａは、外側立上面５２と上面５４の角部となる折罫線６２に当接する。差込片７４は、折罫線６２の切断線７０に裏面から差し込まれて外側に突出し、係止される。差込片７４には破断線７６が設けられ、屈曲しやすいため容易に折り曲げられて支障となることがない。外側立上面５２、上面５４、内側立上面５６、糊付け面５８で組み立てられたコの字形の立体形状は、元の平坦な折り畳み状態に戻ることがない。
【００２８】
緩衝用中枠１０は図１、図２に示すように、底面１４の両端部に、第一保持部２０と第二保持部５０が設けられ、支持面３０，６０により、確実に立体の状態を維持される。第一保持部２０と第二保持部５０を、両手で保持して同時にワンタッチで組み立ててもよい。第一保持部２０の上面２４と第二保持部５０の上面５４は、ほぼ同じ高さに設けられ、第一保持部２０の内側立上面２６と第二保持部５０の内側立上面５６は、所定間隔を離れて互いに対面する。第一保持部２０の透孔４２と、第二保持部５０の透孔７２も、互いに対面する。そして、第一保持部２０と第二保持部５０を組み立てた後、折罫線１８を９０°に正折りして側面１６を底面１４に対して略直角に立ち上げ、緩衝用中枠１０の組み立てが完了する。
【００２９】
次に、緩衝用中枠１０の使用方法について説明する。組み立てた緩衝用中枠１０は、任意の外箱８２の内側に入れる。外箱８２の材料や構造は自由である。ただし緩衝用中枠１０を底部８２ａに入れた時に僅かなゆとりを有して嵌合するものが好ましい。
【００３０】
外箱８２に入れた緩衝用中枠１０に、収容物をセットする。なお収容物は、例えばシリンジ８４にプランジャ８６が挿入されたものである。ここでシリンジ８４とプランジャ８６について説明する。シリンジ８４の先端８４ａは閉鎖され、先端８４ａと反対側はプランジャ８６が差し込まれる開口部が形成され、開口部の周囲にはフランジ部８４ｂが設けられている。
【００３１】
このシリンジ８４とプランジャ８６を緩衝用中枠１０にセットする時は、第一保持部２０の透孔４２と第二保持部５０の透孔７２にシリンジ８４を渡して入れ、この時シリンジ８４の先端８４ａは第二保持部５０の透孔７２に位置し、プランジャ８６は第一保持部２０の透孔４２に位置し、シリンジ８４のフランジ部８４ｂは第一保持部２０の透孔４２の幅広部４２ｄに嵌合させる。シリンジ８４を深く入れて、内側立上面２６、内側立上面５６に形成されている透孔４２，７２の端部４２ｂ，７２ｂに嵌合させ、底面１４から離間した状態で緩衝的に垂直方向に保持される。フランジ部８４ｂが透孔４２の幅広部４２ｄに嵌合され、位置決めされ、水平方向の摺動を防ぎ緩衝的に保持される。そして、外箱８２の上蓋等で、外箱８２を閉鎖し、包装が完了する。
【００３２】
この実施形態の緩衝用中枠１０によれば、簡単な構造で、簡単な組立工程により立体的に組み立てることができる。ワンタッチで差込片４４，７４が切断線４０，７０に差し込まれ、立体に組み立てた第一保持部２０と第二保持部５０を、支持面３０，６０が各々保持し、平坦な折り畳み状態に戻ることを防ぐ。作業者が手を離しても第一保持部２０と第二保持部５０の立体形状が維持されるため、収容物を入れ易く、作業性が良好である。収容物が、破損しやすい物でも高い緩衝強度で収容することができ、水平方向と垂直方向のいずれの方向にも緩衝的に保持することができる。収容物の取り出しの際は容易に取り出すことができる。支持面３０，６０は、透孔４２，７２に入れられた収容物の端部と、その外側に位置する外側立上面２２、外側立上面５２の間に傾斜して設けられているため、水平方向に移動して支持面３０，６０に当接しても、クッション性があり、緩衝効果を有するものである。差込片４４，７４が切断線４０，７０に差し込まれて支持面３０，６０が支持している力は、適度な強さを有し、包装作業の際は立体形状を維持し、使用後に不要となった場合は、簡単に解除して平坦な折り畳み状態に戻して破棄することができる。切断線４０，７０は、上面２４，５４側へ僅かに突出するコの字型で形成されているため、外側立上面２２、５２と上面２４，５４が直角に位置する時にスリット状に幅が広くなり、差込片４４，７４が差し込みやすい。
【００３３】
収容物がシリンジ８４の場合は、フランジ部８４ｂが透孔４２の幅広部４２ｄの内側に係止してシリンジ８４の長手方向に沿う水平方向の移動を防ぎ、運搬中の衝撃を緩和することができる。これにより、シリンジ８４に高価な薬液を収容しても安全に運搬や保管を行うことができる。
【００３４】
なお、この考案は、上記実施の形態に限定されるものではなく、第一保持部と第二保持部の形状や大きさ、透孔の数や形状は、収容物に合わせて適宜変更可能である。収容物はシリンジ以外でも良く、いろいろな収容物に使用することができる。また、いろいろな外箱に入れて使用することができる。
【符号の説明】
【００３５】
１０  緩衝用中枠
１２  中枠形成片
１４  底面
１６  側面
２０  第一保持部
２２，５２  外側立上面
２４，５４  上面
２６，５６  内側立上面
２８，５８  糊付け面
３０，６０  支持面
４２，７２  透孔
４２ｄ  幅広部
４４，７４  差込片
４０，７０  切断線
５０  第二保持部
８２  外箱
８４  シリンジ
８４ｂ  フランジ部
８６  プランジャ
【図１】
0003212828.tif 000003
【図２】
0003212828.tif 000004
【図３】
0003212828.tif 000005
【図４】
0003212828.tif 000006